(57)【要約】【課題】空気清浄運転の動作状態を容易に確認することができる空気清浄機を提供する。【解決手段】  略直方体形状に形成されたケーシング（10）の両側面に吸込口（11）を、該ケーシング（10）上面に吹出口（12）をそれぞれ開口し、空気清浄動作の運転又は停止を切り替える運転スイッチ（20）を、ケーシング（10）の上部に配置され且つ吹出口（12）とオーバーラップするパネル面（22）を有するケーシングパネルで構成し、運転スイッチ（20）が停止位置にあるときに、該運転スイッチ（20）のパネル面（22）により吹出口（12）が閉塞されるようにする。【選択図】図３
2007222774.tif 000002
【特許請求の範囲】
【請求項１】
空気の吸込口（11）及び吹出口（12）が開口したケーシング（10）と、
前記ケーシング（10）の一部をなすケーシングパネルで構成され、空気清浄動作を運転状態にする運転位置と停止状態にする停止位置とに位置変化することで運転又は停止を切り替える運転スイッチ（20）とを備え、
前記運転スイッチ（20）は、前記停止位置において前記吸込口（11）及び吹出口（12）の少なくとも一方を閉塞するように構成されていることを特徴とする空気清浄機。
【請求項２】
請求項１において、
前記ケーシング（10）は略直方体形状に形成され、該ケーシング（10）の両側面には前記吸込口（11）が、該ケーシング（10）上面には前記吹出口（12）がそれぞれ開口しており、
前記運転スイッチ（20）は、前記ケーシング（10）の上部に配置され且つ前記吹出口（12）とオーバーラップするパネル面（22）を有するケーシングパネルで構成され、
前記運転スイッチ（20）が前記停止位置にあるときに、該運転スイッチ（20）のパネル面（22）により前記吹出口（12）が閉塞されるようになっていることを特徴とする空気清浄機。
【請求項３】
請求項１において、
前記ケーシング（10）は、略直方体形状に形成され上下方向の略中央で上側ケーシング（41）と下側ケーシング（42）とに分割され、該上側及び下側ケーシング（41，42）の分割位置には該ケーシング（10）の全周にわたって前記吸込口（11）が、該上側ケーシング（41）の上面には前記吹出口（12）がそれぞれ開口しており、
前記運転スイッチ（20）は、前記上側ケーシング（41）で構成され、
前記運転スイッチ（20）が前記停止位置にあるときに、該運転スイッチ（20）をなす前記上側ケーシング（41）と前記下側ケーシング（42）との隙間が塞がれて前記吸込口（11）が閉塞されるようになっていることを特徴とする空気清浄機。
【請求項４】
請求項１において、
前記ケーシング（10）は略直方体形状に形成され、該ケーシング（10）の正面下方及び該ケーシング（10）上面の正面寄りの位置には前記吸込口（11）が、該ケーシング（10）上面の背面寄りの位置には前記吹出口（12）がそれぞれ開口しており、
前記運転スイッチ（20）は、前記ケーシング（10）上面の前記吸込口（11）とオーバーラップし且つケーシング（10）正面に沿って延びる逆Ｌ字状のケーシングパネルで構成され、
前記運転スイッチ（20）が前記停止位置にあるときに、該運転スイッチ（20）のケーシング（10）上面側及び正面側のパネル面により前記吸込口（11）が閉塞されるようになっていることを特徴とする空気清浄機。
【請求項５】
請求項１において、
前記ケーシング（10）は上部が断面円弧状に形成され、該ケーシング（10）の正面下方及び背面下方には前記吸込口（11）が、該ケーシング（10）上面には前記吹出口（12）がそれぞれ開口しており、
前記運転スイッチ（20）は、パネル面が前記ケーシング（10）の背面、上面、及び正面に沿うように設けられた断面逆Ｕ字状のケーシングパネルで構成され、該ケーシングパネル上面には前記吹出口（12）が開口しており、
前記運転スイッチ（20）が前記停止位置にあるときに、該運転スイッチ（20）のケーシング（10）正面側及び背面側のパネル面により前記吸込口（11）が閉塞されるようになっていることを特徴とする空気清浄機。
【発明の詳細な説明】
【技術分野】
【０００１】
本発明は、空気清浄機に関し、特に空気清浄運転の動作状態を容易に確認するための技術に関するものである。
【背景技術】
【０００２】
従来より、空気清浄機が運転中であるか停止中であるかをユーザーが識別するための手段として、空気清浄機の正面側にＬＥＤ等の小さなランプからなる運転表示部を配置し、該運転表示部の点灯状態によって識別するようにしたものが知られている（例えば、特許文献１参照）。
【特許文献１】特開平８−１６８６２５号公報
【発明の開示】
【発明が解決しようとする課題】
【０００３】
しかしながら、従来の空気清浄機の運転表示部では、ユーザーが空気清浄機の正面側以外、すなわち、空気清浄機の側面や背面側から動作状態を確認しようとしても、そのような位置からは運転表示部が視認できなかった。
【０００４】
また、運転表示部をＬＥＤで構成した空気清浄機を、日光が射す窓際等の明るい照明の下に配置していた場合には、ＬＥＤ表示の点灯状態が視認しづらい状態となっており、空気清浄機から離れた位置からユーザーが視認できない場合がある。
【０００５】
さらに、そもそも、ＬＥＤ表示によって動作状態を確認するようにした空気清浄機では、視覚障害者の方々にとっては動作状態を確認できないおそれがある。
【０００６】
本発明は、かかる点に鑑みてなされたものであり、その目的は、空気清浄運転の動作状態を容易に確認することができる空気清浄機を提供することにある。
【課題を解決するための手段】
【０００７】
前記の目的を達成するため、本発明では、空気清浄機の運転又は停止を切り替える運転スイッチを、ケーシングの一部をなすケーシングパネルで構成するようにした。
【０００８】
すなわち、第１の発明は、空気の吸込口（11）及び吹出口（12）が開口したケーシング（10）と、
前記ケーシング（10）の一部をなすケーシングパネルで構成され、空気清浄動作を運転状態にする運転位置と停止状態にする停止位置とに位置変化することで運転又は停止を切り替える運転スイッチ（20）とを備え、
前記運転スイッチ（20）は、前記停止位置において前記吸込口（11）及び吹出口（12）の少なくとも一方を閉塞するように構成されていることを特徴とする空気清浄機である。
【０００９】
第１の発明では、運転位置と停止位置とに位置変化することで空気清浄動作を切り替える運転スイッチ（20）が、ケーシング（10）の一部をなすケーシングパネルで構成され、運転スイッチ（20）が停止位置にあるときに、ケーシング（10）に開口した空気の吸込口（11）及び吹出口（12）の少なくとも一方が運転スイッチ（20）のパネル面により閉塞される。
【００１０】
このため、空気清浄機が運転中であるか停止中であるかを、運転スイッチ（20）の位置変化（例えば、運転中の運転スイッチ（20）の位置は停止中の位置よりも浮き上がった状態となっている等）によって判別することができる。したがって、従来のようにＬＥＤ表示の点灯状態が視認できる方向からのみ確認可能等の制約を受けることなく、ユーザーはどのような方向からでも空気清浄機の動作状態を確認することができる。さらに、ＬＥＤ表示を識別困難な視覚障害者の方々にとっても、運転スイッチ（20）を手で触って動作状態を確認することができるという効果を奏する。
【００１１】
また、空気清浄機が停止状態のときには、運転スイッチ（20）のパネル面により吸込口（11）及び吹出口（12）の少なくとも一方が閉塞されているから、停止状態において吸込口（11）や吹出口（12）からケーシング（10）内に塵埃が侵入して堆積する等の不具合を解消する上で有利となる。また、デザイン面においても、停止時に開口を塞ぐことでシンプルで美しい造形の空気清浄機が提供でき、インテリア性が向上する。
【００１２】
また、従来は空気清浄動作をＬＥＤ表示等で行っていたが、本発明では、このようなＬＥＤ表示を無くすことができ、ＬＥＤ表示等のように点灯して変に目立ってしまうことがなくシンプルで落ち着きのある上品なデザインの空気清浄機を構成することができる。これにより、空気清浄機の機械っぽさをできるだけ排除して室内に飾っても違和感のないオブジェのようなスタイルの空気清浄機を提供することができ、デザイン性、インテリア性が向上する。
【００１３】
第２の発明は、第１の発明において、
前記ケーシング（10）は略直方体形状に形成され、該ケーシング（10）の両側面には前記吸込口（11）が、該ケーシング（10）上面には前記吹出口（12）がそれぞれ開口しており、
前記運転スイッチ（20）は、前記ケーシング（10）の上部に配置され且つ前記吹出口（12）とオーバーラップするパネル面（22）を有するケーシングパネルで構成され、
前記運転スイッチ（20）が前記停止位置にあるときに、該運転スイッチ（20）のパネル面（22）により前記吹出口（12）が閉塞されるようになっていることを特徴とするものである。
【００１４】
第２の発明では、運転スイッチ（20）が、ケーシング（10）上部に配置され且つケーシング（10）上面の吹出口（12）とオーバーラップするパネル面（22）を有するケーシングパネルで構成され、運転スイッチ（20）が停止位置にあるときに、運転スイッチ（20）のパネル面（22）によって吹出口が閉塞される。
【００１５】
このため、空気清浄機が運転中であるか停止中であるかを、運転スイッチ（20）が持ち上がっているか又は吹出口（12）を塞ぐようにケーシング（10）上面側に位置しているかに基づいて確認することができる。また、ケーシング（10）上面の吹出口（12）から塵埃がケーシング（10）内に侵入することを抑制する上で有利な効果が得られる。
【００１６】
第３の発明は、第１の発明において、
前記ケーシング（10）は、略直方体形状に形成され上下方向の略中央で上側ケーシング（41）と下側ケーシング（42）とに分割され、該上側及び下側ケーシング（41，42）の分割位置には該ケーシング（10）の全周にわたって前記吸込口（11）が、該上側ケーシング（41）の上面には前記吹出口（12）がそれぞれ開口しており、
前記運転スイッチ（20）は、前記上側ケーシング（41）で構成され、
前記運転スイッチ（20）が前記停止位置にあるときに、該運転スイッチ（20）をなす前記上側ケーシング（41）と前記下側ケーシング（42）との隙間が塞がれて前記吸込口（11）が閉塞されるようになっていることを特徴とするものである。
【００１７】
第３の発明では、運転スイッチ（20）が、上下方向に分割されたケーシング（10）の上側ケーシング（41）で構成され、運転スイッチ（20）が停止位置にあるときに、上側ケーシング（41）と下側ケーシング（42）との分割位置に開口した吸込口（11）が閉塞される。
【００１８】
このため、空気清浄機が運転中であるか停止中であるかを、上側ケーシング（41）と下側ケーシング（42）との間に隙間が形成されているか否かに基づいて確認することができる。また、停止状態では、上側ケーシング（41）と下側ケーシング（42）との隙間が閉塞され、上側及び下側ケーシング（41，42）が一体となった略直方体形状のケーシング（10）となるから、見た目にスッキリした印象を与え、インテリア性が向上する。
【００１９】
第４の発明は、第１の発明において、
前記ケーシング（10）は略直方体形状に形成され、該ケーシング（10）の正面下方及び該ケーシング（10）上面の正面寄りの位置には前記吸込口（11）が、該ケーシング（10）上面の背面寄りの位置には前記吹出口（12）がそれぞれ開口しており、
前記運転スイッチ（20）は、前記ケーシング（10）上面の前記吸込口（11）とオーバーラップし且つケーシング（10）正面に沿って延びる逆Ｌ字状のケーシングパネルで構成され、
前記運転スイッチ（20）が前記停止位置にあるときに、該運転スイッチ（20）のケーシング（10）上面側及び正面側のパネル面により前記吸込口（11）が閉塞されるようになっていることを特徴とするものである。
【００２０】
第４の発明では、運転スイッチ（20）が、ケーシング（10）上面の吸込口（11）とオーバーラップし且つケーシング（10）正面に沿って延びる逆Ｌ字状のケーシングパネルで構成され、運転スイッチ（20）が停止位置にあるときに、運転スイッチ（20）のケーシング（10）上面側及び正面側のパネル面によってケーシング（10）の正面下方及び上面の正面寄りに開口した吸込口（11）が閉塞される。
【００２１】
このため、空気清浄機が運転中であるか停止中であるかを、逆Ｌ字状のケーシングパネルの位置に基づいて確認することができる。また、ケーシング（10）上面及び正面下方に開口した吸込口（11）から塵埃がケーシング（10）内に侵入することを抑制する上で有利な効果が得られる。
【００２２】
第５の発明は、第１の発明において、
前記ケーシング（10）は上部が断面円弧状に形成され、該ケーシング（10）の正面下方及び背面下方には前記吸込口（11）が、該ケーシング（10）上面には前記吹出口（12）がそれぞれ開口しており、
前記運転スイッチ（20）は、パネル面が前記ケーシング（10）の背面、上面、及び正面に沿うように設けられた断面逆Ｕ字状のケーシングパネルで構成され、該ケーシングパネル上面には前記吹出口（12）が開口しており、
前記運転スイッチ（20）が前記停止位置にあるときに、該運転スイッチ（20）のケーシング（10）正面側及び背面側のパネル面により前記吸込口（11）が閉塞されるようになっていることを特徴とするものである。
【００２３】
第５の発明では、運転スイッチ（20）が、上部が断面円弧状に形成されたケーシング（10）のケーシング（10）背面、上面、及び正面に沿うように設けられた断面Ｕ字状のケーシングパネルで構成され、運転スイッチ（20）が停止位置にあるときに、運転スイッチ（20）のケーシング（10）正面側及び背面側のパネル面によってケーシング（10）の正面下方及び背面下方に開口した吹出口（12）が閉塞される。
【００２４】
このため、空気清浄機が運転中であるか停止中であるかを、断面逆Ｕ字状のケーシングパネルの位置に基づいて確認することができる。また、ケーシング（10）正面下方及び背面下方に開口した吸込口（11）から塵埃がケーシング（10）内に侵入することを抑制する上で有利な効果が得られる。さらに、上部が断面円弧状となったケーシング（10）のデザインにより、オブジェとして室内のインテリア性が向上する。
【発明の効果】
【００２５】
以上説明したように、本発明によれば、空気清浄機が運転中であるか停止中であるかを、運転スイッチ（20）の位置変化（例えば、運転中の運転スイッチ（20）の位置は停止中の位置よりも浮き上がった状態となっている等）によって判別することができる。したがって、従来のようにＬＥＤ表示の点灯状態が視認できる方向からのみ確認可能等の制約を受けることなく、ユーザーはどのような方向からでも空気清浄機の動作状態を確認することができる。さらに、ＬＥＤ表示を識別困難な視覚障害者の方々にとっても、運転スイッチ（20）を手で触って動作状態を確認することができるという効果を奏する。
【００２６】
また、空気清浄機が停止状態のときには、運転スイッチ（20）のパネル面により吸込口（11）及び吹出口（12）の少なくとも一方が閉塞されているから、停止状態において吸込口（11）や吹出口（12）からケーシング（10）内に塵埃が侵入して堆積する等の不具合を解消する上で有利となる。また、デザイン面においても、停止時に開口を塞ぐことでシンプルで美しい造形の空気清浄機が提供でき、インテリア性が向上する。
【００２７】
また、従来は空気清浄動作をＬＥＤ表示等で行っていたが、本発明では、このようなＬＥＤ表示を無くすことができ、ＬＥＤ表示等のように点灯して変に目立ってしまうことがなくシンプルで落ち着きのある上品なデザインの空気清浄機を構成することができる。これにより、空気清浄機の機械っぽさをできるだけ排除して室内に飾っても違和感のないオブジェのようなスタイルの空気清浄機を提供することができ、デザイン性、インテリア性が向上する。
【００２８】
また、第２の発明によれば、空気清浄機が運転中であるか停止中であるかを、運転スイッチ（20）が持ち上がっているか又は吹出口（12）を塞ぐようにケーシング（10）上面側に位置しているかに基づいて確認することができる。また、ケーシング（10）上面の吹出口（12）から塵埃がケーシング（10）内に侵入することを抑制する上で有利な効果が得られる。
【００２９】
また、第３の発明によれば、空気清浄機が運転中であるか停止中であるかを、上側ケーシング（41）と下側ケーシング（42）との間に隙間が形成されているか否かに基づいて確認することができる。また、停止状態では、上側ケーシング（41）と下側ケーシング（42）との隙間が閉塞され、上側及び下側ケーシング（41，42）が一体となった略直方体形状のケーシング（10）となるから、見た目にスッキリした印象を与え、インテリア性が向上する。
【００３０】
また、第４の発明によれば、空気清浄機が運転中であるか停止中であるかを、逆Ｌ字状のケーシングパネルの位置に基づいて確認することができる。また、ケーシング（10）上面及び正面下方に開口した吸込口（11）から塵埃がケーシング（10）内に侵入することを抑制する上で有利な効果が得られる。
【００３１】
また、第５の発明によれば、空気清浄機が運転中であるか停止中であるかを、断面逆Ｕ字状のケーシングパネルの位置に基づいて確認することができる。また、ケーシング（10）正面下方及び背面下方に開口した吸込口（11）から塵埃がケーシング（10）内に侵入することを抑制する上で有利な効果が得られる。さらに、上部が断面円弧状となったケーシング（10）のデザインにより、オブジェとして室内のインテリア性が向上する。
【発明を実施するための最良の形態】
【００３２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３３】
＜実施形態１＞
図１（ａ），図１（ｂ）は、本発明の実施形態１に係る空気清浄機の構成を示す正面図、側面図である。図１に示すように、空気清浄機は、ケーシング（10）と運転スイッチ（20）とを備えている。
【００３４】
前記ケーシング（10）は、略直方体形状に形成されており、ケーシング（10）の左右両側面には空気が流入する吸込口（11）が形成され、ケーシング（10）上面には空気が流出する吹出口（12）が形成されている。
【００３５】
前記運転スイッチ（20）は、空気清浄動作を運転状態にする運転位置と停止状態にする停止位置とに位置変化することで運転又は停止を切り替えるものであり、ケーシング（10）の一部をなすケーシングパネルで構成されている。具体的には、ケーシング（10）上部に配置され且つケーシング（10）上面に開口した吹出口（12）とオーバーラップするパネル天面（22）を有したケーシングパネルで構成されている。
【００３６】
図２は、本実施形態１に係る空気清浄機の構成を示す正面断面図であり、図３は空気清浄機の側面断面図である。
【００３７】
図２，図３に示すように、前記ケーシング（10）の内部には、空気の流通経路（13）が形成されている。該流通経路（13）には、空気中に含まれる塵埃などを捕集する集塵フィルタ（15）が配置されている。また、ケーシング（10）内には、空気を流通経路（13）に流通させる送風ファン（16）が設置されている。
【００３８】
詳しくは後述するが、前記運転スイッチ（20）は、ユーザーによって手で押されることで、空気清浄動作を運転状態にする運転位置（図６参照）と、停止状態にする停止位置（図４参照）とに切り替え可能に構成されている。
【００３９】
前記運転スイッチ（20）が運転位置にあるときには、停止位置に比べて運転スイッチ（20）のパネル天面（22）がケーシング（10）から浮き上がった状態となっている。これにより、運転位置では、ケーシング（10）上面の吹出口（12）が開放された状態となり、送風ファン（16）により吸込口（11）からケーシング（10）内に流入した空気中の塵埃が集塵フィルタ（15）で捕集され、清浄化された空気が吹出口（12）から流出するようになっている。
【００４０】
一方、前記運転スイッチ（20）が停止位置にあるときには、運転スイッチ（20）のパネル天面（22）によりケーシング（10）上面の吹出口（12）が閉塞された状態となり、ケーシング（10）内に塵埃が侵入することを抑制することができるようになっている。
【００４１】
次に、図４〜図６を用いて、運転スイッチ（20）を運転位置と停止位置とに切り替え可能とする構成について説明する。図４は空気清浄機が停止状態の場合の運転スイッチ（20）の位置を示す側面断面図である。
【００４２】
図４に示すように、前記運転スイッチ（20）は、筒状に形成され周壁がケーシング（10）のガイド溝（32）内に摺動自在に嵌合されたスイッチ本体（21）と、スイッチ本体（21）の上部に一体形成されケーシング（10）上面の吹出口（12）とオーバーラップするパネル天面（22）とを備えている。
【００４３】
前記スイッチ本体（21）の筒内には、パネル天面（22）の下面から筒状に延び、後述するケーシング（10）の挟持部材（33）内に摺動自在に保持された係合筒部（23）が配設されている。係合筒部（23）の下端部には全周にわたって外向きに突出した係合部が形成され、該係合部が挟持部材（33）上端部のストッパと当接することで運転スイッチ（20）が挟持部材（33）内から離脱しないようになっている。
【００４４】
前記ケーシング（10）上面の略中央位置には凹部（31）が形成されている。ケーシング（10）上面であって凹部（31）周縁よりも外側位置には、前記スイッチ本体（21）の周壁を嵌合するガイド溝（32）が形成されている。
【００４５】
また、前記凹部（31）の底面には、空気清浄機の電源ＯＮ／ＯＦＦを制御するための制御基板（34）が配設されている。制御基板（34）上には、前記運転スイッチ（20）の係合筒部（23）を挟持して保持する一対の挟持部材（33，33）が配設されている。
【００４６】
前記一対の挟持部材（33，33）は、開放部が上向きとなるように配置された有底筒状の部材を前後方向（図４では左右方向）に分割して形成したものであり、筒底部の分割位置には隙間（35）が設けられている。
【００４７】
前記一対の挟持部材（33，33）の上端部には、全周わたって内向きに突出したストッパが形成されている。ここで、一対の挟持部材（33，33）は、互いに近づく方向に付勢されており、ストッパにより運転スイッチ（20）の係合筒部（23）の外周面が摺動自在に保持されるようになっている。さらに、ストッパが係合筒部（23）の係合部と当接することで、運転スイッチ（20）が挟持部材（33）内から離脱しないようになっている。
【００４８】
前記一対の挟持部材（33，33）の筒底部間の隙間（35）には、スイッチ接点（36）が配設されている。スイッチ接点（36）は、前記制御基板（34）の電源ＯＮ／ＯＦＦスイッチ用接点と接触することで、空気清浄機の電源ＯＮ／ＯＦＦを切り替えるものである。
【００４９】
前記挟持部材（33）の筒底部と係合筒部（23）との間には、運転スイッチ（20）を上方へ押し上げる方向に付勢するスプリング（37）が配設されている。また、挟持部材（33）の内周壁には、上下方向に間隔をあけて停止位置ストッパ（33a）と運転位置ストッパ（33b）とが形成されている。
【００５０】
前記停止位置ストッパ（33a）は、係合筒部（23）の係合部の上面と当接することにより、運転スイッチ（20）を停止位置に保持するものである。
【００５１】
前記運転位置ストッパ（33b）は、係合筒部（23）の係合部の下面と当接することにより、挟持部材（33）のストッパとの間で係合筒部（23）を保持し、運転スイッチ（20）を運転位置に保持するものである。
【００５２】
前記スイッチ接点（36）の上部には、ストッパ解除部材（38）が配設されている。ストッパ解除部材（38）は、前記係合筒部（23）の筒内に摺動自在に嵌合されており、運転スイッチ（20）を押し込むことでストッパ解除部材（38）を介してスイッチ接点（36）が押されるようになっている。これにより、スイッチ接点（36）が制御基板（34）の電源ＯＮ／ＯＦＦスイッチ用接点と接触し、電源ＯＮ／ＯＦＦの切り替えが行われるようになっている。
【００５３】
また、前記ストッパ解除部材（38）の幅方向の厚さは、一対の挟持部材（33）間の隙間（35）の開口幅よりも大きく形成されている。ここで、運転スイッチ（20）を押し込むと、ストッパ解除部材（38）の先端部が、一対の挟持部材（33，33）間の隙間（35）を拡大する方向に押し広げつつ隙間（35）内に入り込み、係合筒部（23）の係合部と停止位置ストッパ（33a）との係合が解除された状態となる（図５参照）。
【００５４】
このように、一対の挟持部材（33，33）間の隙間（35）が拡大した状態で、ユーザーが運転スイッチ（20）から手を離すと、一対の挟持部材（33，33）間の隙間（35）の開口幅が元の幅に戻る前に、スプリング（37）の付勢力により運転スイッチ（20）の係合筒部（23）の係合部が挟持部材（33，33）の上端部のストッパに当接するまで持ち上がり、ストッパと運転位置ストッパ（33b）との間に係合筒部（23）の係合部が挟まれた状態で保持される（図６参照）。
【００５５】
以上のように、本発明の実施形態１に係る空気清浄機によれば、空気清浄機が運転中であるか停止中であるかを、運転スイッチ（20）の位置変化（運転中の運転スイッチ（20）の位置は停止中の位置よりも浮き上がった状態となっている等）によって判別することができる。したがって、従来のようにＬＥＤ表示の点灯状態が視認できる方向からのみ確認可能等の制約を受けることなく、ユーザーはどのような方向からでも空気清浄機の動作状態を確認することができる。さらに、ＬＥＤ表示を識別困難な視覚障害者の方々にとっても、運転スイッチ（20）を手で触って動作状態を確認することができるという効果を奏する。
【００５６】
また、空気清浄機が停止状態のときには、運転スイッチ（20）のパネル天面（22）により吹出口（12）が閉塞されているから、停止状態において吹出口（12）からケーシング（10）内に塵埃が侵入して堆積する等の不具合を解消する上で有利となる。また、デザイン面においても、停止時に開口を塞ぐことでシンプルで美しい造形の空気清浄機が提供でき、インテリア性が向上する。
【００５７】
また、従来は空気清浄動作をＬＥＤ表示等で行っていたが、本発明では、このようなＬＥＤ表示を無くすことができ、ＬＥＤ表示等のように点灯して変に目立ってしまうことがなくシンプルで落ち着きのある上品なデザインの空気清浄機を構成することができる。これにより、空気清浄機の機械っぽさをできるだけ排除して室内に飾っても違和感のないオブジェのようなスタイルの空気清浄機を提供することができ、デザイン性、インテリア性が向上する。
【００５８】
なお、本実施形態１に係る空気清浄機では、運転スイッチ（20）をユーザーが手動で押して位置変化させるものについて説明したが、この形態に限るものではなく、例えば、リモコンで遠隔操作することにより運転スイッチ（20）を位置変化させて運転状態を切り替えるようにしても構わない。ただし、この場合には、リモコンの操作に対応して運転スイッチ（20）を運転位置と停止位置とに相互に切り替えるための位置変更手段（図示せず）を空気清浄機内に設けることが必要である。
【００５９】
＜実施形態２＞
図７は、本発明の実施形態２に係る空気清浄機の構成を示す斜視図である。前記実施形態１との違いは、ケーシング及び運転スイッチの外観形状であるため、以下、実施形態１と同じ部分については同じ符号を付し、相違点についてのみ説明する。
【００６０】
図７に示すように、空気清浄機は、略直方体形状に形成され上下方向の略中央で上側ケーシング（41）と下側ケーシング（42）とに分割されたケーシング（10）で構成されている。
【００６１】
前記上側ケーシング（41）及び下側ケーシング（42）の分割位置には、ケーシング（10）の全周にわたって空気が流入する吸込口(11)が形成され、上側ケーシング（41）の上面には空気が流出する吹出口（12）が形成されている。
【００６２】
前記上側ケーシング（41）は、上下方向に位置変化するようになっており、空気清浄動作の運転又は停止を切り替える運転スイッチ（20）として構成されている。
【００６３】
前記運転スイッチ（20）は、空気清浄動作を運転状態にする運転位置と停止状態にする停止位置とに位置変化することで運転又は停止を切り替えるものであり、具体的には、空気清浄動作が停止状態の場合には、運転スイッチ（20）をなす上側ケーシング（41）と下側ケーシング（42）との隙間が塞がれて、分割位置にある吸込口（11）が閉塞されるようになっている。
【００６４】
また、前記上側ケーシング（41）の上面の吹出口（12）は、上側ケーシング（41）の外周壁とパネル天面（43）との間の隙間に開口しており、吸込口（11）から取り込んだ空気を吹出口（12）から全周方向に吹き出すことができるようになっている。
【００６５】
図８は、本実施形態２に係る空気清浄機の構成を示す側面断面図である。図８に示すように、前記ケーシング（10）の内部には、空気の流通経路（13）が形成されている。該流通経路（13）には、空気中に含まれる塵埃などを捕集する集塵フィルタ（15）が配置されている。また、ケーシング（10）内には、空気を流通経路（13）に流通させる送風ファン（16）が設置されている。
【００６６】
前記運転スイッチ（20）をなす上側ケーシング（41）は、ユーザーによって手で押されることで、空気清浄動作を運転状態にする運転位置と、停止状態にする停止位置とに切り替え可能に構成されている。
【００６７】
前記上側ケーシング（41）が運転位置にあるときには、上側ケーシング（41）と下側ケーシング（42）との間の吸込口（11）が開放された状態となっている。これにより、送風ファン（16）により吸込口（11）からケーシング（10）内に流入した空気中の塵埃が集塵フィルタ（15）で捕集され、清浄化された空気が吹出口（12）から流出するようになっている。
【００６８】
一方、前記運転スイッチ（20）をなす上側ケーシング（41）が停止位置にあるときには、上側ケーシング（41）と下側ケーシング（42）との間の吸込口（11）が閉塞された状態となり、ケーシング（10）内に塵埃が侵入することを抑制することができるようになっている（図９参照）。
【００６９】
なお、運転スイッチ（20）を運転位置と停止位置とに切り替え可能とする構造については、前記実施形態１と略同様の構造であるため、以下の説明を省略する。
【００７０】
以上のように、本発明の実施形態２に係る空気清浄機によれば、空気清浄機が運転中であるか停止中であるかを、上側ケーシング（41）と下側ケーシング（42）との間に隙間が形成されているか否かに基づいて確認することができる。また、停止状態では、上側ケーシング（41）と下側ケーシング（42）との隙間が閉塞され、上側ケーシング（41）及び下側ケーシング（42）が一体となった略直方体形状のケーシング（10）となるから、見た目にスッキリした印象を与え、インテリア性が向上する。
【００７１】
＜実施形態３＞
図１０は、本発明の実施形態３に係る空気清浄機の構成を示す斜視図である。前記実施形態１との違いは、ケーシング及び運転スイッチの外観形状であるため、以下、実施形態１と同じ部分については同じ符号を付し、相違点についてのみ説明する。
【００７２】
図１０に示すように、空気清浄機は、ケーシング（10）と運転スイッチ（20）とを備えている。
【００７３】
前記ケーシング（10）は略直方体形状に形成されており、ケーシング（10）の正面下方及びケーシング（10）上面の正面寄りの位置には空気が流入する吸込口（11）が形成されている。ケーシング（10）上面の背面寄りの位置は直方体形状の角部が斜めに切り欠かれており、該切り欠き部分（ケーシング（10）上面の背面寄りの位置）には空気が上方に流出するように吹出口（12）が形成されている。
【００７４】
前記運転スイッチ（20）は、空気清浄動作を運転状態にする運転位置と停止状態にする停止位置とに位置変化することで運転又は停止を切り替えるものであり、ケーシング（10）の一部をなすケーシングパネルで構成されている。具体的には、ケーシング（10）上面の吸込口（11）とオーバーラップし且つケーシング（10）正面に沿って延びる逆Ｌ字状のケーシングパネルで構成されている。
【００７５】
図１１は、本実施形態３に係る空気清浄機の構成を示す側面断面図である。図１１に示すように、前記ケーシング（10）の内部には、空気の流通経路（13）が形成されている。該流通経路（13）には、空気中に含まれる塵埃などを捕集する集塵フィルタ（15）が配置されている。また、ケーシング（10）内には、空気を流通経路（13）に流通させる送風ファン（16）が設置されている。
【００７６】
前記運転スイッチ（20）は、ユーザーによって手で押されることで、空気清浄動作を運転状態にする運転位置と、停止状態にする停止位置とに切り替え可能に構成されている。
【００７７】
前記運転スイッチ（20）が運転位置にあるときには、停止位置に比べて運転スイッチ（20）のパネル面がケーシング（10）から浮き上がった状態となっている。これにより、運転位置では、ケーシング（10）上面側及び正面側の吸込口（11）が開放された状態となり、送風ファン（16）により吸込口（11）からケーシング（10）内に流入した空気中の塵埃が集塵フィルタ（15）で捕集され、清浄化された空気が吹出口（12）から流出するようになっている。
【００７８】
一方、前記運転スイッチ（20）が停止位置にあるときには、運転スイッチ（20）のケーシング（10）上面側及び正面側のパネル面によりケーシング（10）上面側及び正面側の吸込口（11）が閉塞された状態となり、ケーシング（10）内に塵埃が侵入することを抑制することができるようになっている（図１２参照）。
【００７９】
なお、運転スイッチ（20）を運転位置と停止位置とに切り替え可能とする構造については、前記実施形態１と略同様の構造であるため、以下の説明を省略する。
【００８０】
以上のように、本実施形態３に係る空気清浄機によれば、空気清浄機が運転中であるか停止中であるかを、運転スイッチ（20）をなす逆Ｌ字状のケーシングパネルの位置に基づいて確認することができる。また、ケーシング（10）上面及び正面下方に開口した吸込口（11）から塵埃がケーシング（10）内に侵入することを抑制する上で有利な効果が得られる。
【００８１】
＜実施形態４＞
図１３は、本発明の実施形態４に係る空気清浄機の構成を示す斜視図である。前記実施形態１との違いは、ケーシング及び運転スイッチの外観形状であるため、以下、実施形態１と同じ部分については同じ符号を付し、相違点についてのみ説明する。
【００８２】
図１３に示すように、空気清浄機は、ケーシング（10）と運転スイッチ（20）とを備えている。
【００８３】
前記ケーシング（10）は上部が断面円弧状に形成されており、ケーシング（10）の正面下方及び背面下方には空気が流入する吸込口（11）が形成され、ケーシング（10）上面には空気が流出する吹出口（12）が形成されている。
【００８４】
前記運転スイッチ（20）は、空気清浄動作を運転状態にする運転位置と停止状態にする停止位置とに位置変化することで運転又は停止を切り替えるものであり、ケーシング（10）の一部をなすケーシングパネルで構成されている。具体的には、パネル面がケーシング（10）の背面、上面、及び正面に沿うように設けられた断面逆Ｕ字状のケーシングパネルで構成され、該ケーシングパネル上面には吹出口（12）が形成されている。
【００８５】
図１４は、本実施形態４に係る空気清浄機の構成を示す側面断面図である。図１４に示すように、前記ケーシング（10）の内部には、空気の流通経路（13）が形成されている。該流通経路（13）には、空気中に含まれる塵埃などを捕集する集塵フィルタ（15）が配置されている。また、ケーシング（10）内には、空気を流通経路（13）に流通させる送風ファン（16）が設置されている。
【００８６】
前記運転スイッチ（20）は、ユーザーによって手で押されることで、空気清浄動作を運転状態にする運転位置と、停止状態にする停止位置とに切り替え可能に構成されている。
【００８７】
前記運転スイッチ（20）が運転位置にあるときには、停止位置に比べて運転スイッチ（20）のパネル面がケーシング（10）から浮き上がった状態となっている。これにより、運転位置では、ケーシング（10）正面側及び背面側の吸込口（11）が開放された状態となり、送風ファン（16）により吸込口（11）からケーシング（10）内に流入した空気中の塵埃が集塵フィルタ（15）で捕集され、清浄化された空気が吹出口（12）から流出するようになっている。
【００８８】
一方、前記運転スイッチ（20）が停止位置にあるときには、運転スイッチ（20）のケーシング（10）正面側及び背面側のパネル面によりケーシング（10）正面側及び背面側の吸込口（11）が閉塞された状態となり、ケーシング（10）内に塵埃が侵入することを抑制することができるようになっている（図１５参照）。
【００８９】
なお、運転スイッチ（20）を運転位置と停止位置とに切り替え可能とする構造については、前記実施形態１と略同様の構造であるため、以下の説明を省略する。
【００９０】
以上のように、本実施形態４に係る空気清浄機によれば、空気清浄機が運転中であるか停止中であるかを、運転スイッチ（20）をなす断面逆Ｕ字状のケーシングパネルの位置に基づいて確認することができる。また、ケーシング（10）正面下方及び背面下方に開口した吸込口（11）から塵埃がケーシング（10）内に侵入することを抑制する上で有利な効果が得られる。さらに、上部が断面円弧状となったケーシング（10）のデザインにより、オブジェとして室内のインテリア性が向上する。
【産業上の利用可能性】
【００９１】
以上説明したように、本発明の空気清浄機によれば、空気清浄運転の動作状態を容易に確認することができるという実用性の高い効果が得られることから、きわめて有用で産業上の利用可能性は高い。
【図面の簡単な説明】
【００９２】
【図１】本発明の実施形態１に係る空気清浄機の構成を示す正面図及び側面図である。
【図２】本実施形態１に係る空気清浄機の構成を示す正面断面図である。
【図３】本実施形態１に係る空気清浄機の構成を示す側面断面図である。
【図４】運転スイッチが停止位置にあるときの側面断面図である。
【図５】運転スイッチを停止位置から運転位置に切り替える途中の状態を示す側面断面図である。
【図６】運転スイッチが運転位置にあるときの側面断面図である。
【図７】本実施形態２に係る空気清浄機の構成を示す斜視図である。
【図８】本実施形態２に係る空気清浄機の構成を示す側面断面図である。
【図９】運転スイッチを停止位置から運転位置に切り替えた状態を示す斜視図である。
【図１０】本実施形態３に係る空気清浄機の構成を示す斜視図である。
【図１１】本実施形態３に係る空気清浄機の構成を示す側面断面図である。
【図１２】運転スイッチを停止位置から運転位置に切り替えた状態を示す斜視図である。
【図１３】本実施形態４に係る空気清浄機の構成を示す斜視図である。
【図１４】本実施形態４に係る空気清浄機の構成を示す側面断面図である。
【図１５】運転スイッチを停止位置から運転位置に切り替えた状態を示す斜視図である。
【符号の説明】
【００９３】
10    ケーシング
11    吸込口
12    吹出口
20    運転スイッチ
22    パネル天面（パネル面）
41    上側ケーシング
42    下側ケーシング
【図１】
2007222774.tif 000003
【図２】
2007222774.tif 000004
【図３】
2007222774.tif 000005
【図４】
2007222774.tif 000006
【図５】
2007222774.tif 000007
【図６】
2007222774.tif 000008
【図７】
2007222774.tif 000009
【図８】
2007222774.tif 000010
【図９】
2007222774.tif 000011
【図１０】
2007222774.tif 000012
【図１１】
2007222774.tif 000013
【図１２】
2007222774.tif 000014
【図１３】
2007222774.tif 000015
【図１４】
2007222774.tif 000016
【図１５】
2007222774.tif 000017